(57)【要約】【課題】現在受信中の放送ネットワークと受信可能な他の放送ネットワークとを同時に認識可能で、現在受信中の放送ネットワークから受信可能な他の放送ネットワークへの切替を簡単な操作で行えるデジタル放送受信装置を提供する。【解決手段】受信信号を復調してトランスポートストリーム（ＴＳ）を発生する復調部１、ＴＳをデコードして映像信号及び音声信号を発生するデコーダ部２を備え、受信可能な複数の放送ネットワークに対するネットワーク情報を格納したメモリ４（１）、各種状態を選択設定する操作機器１０、映像や情報等を表示する表示部９、制御部３を設け、制御部３は、操作機器１０の選択によりメモリ４（１）に格納したネットワーク情報を表示部９に供給し、受信可能な複数の放送ネットワークを一覧表示させ、また、一覧表示された複数の放送ネットワークを操作機器１０で選択し、他の放送ネットワークへの受信に切替える。【選択図】　　　　図１
2004015499.tif 000002
【特許請求の範囲】
【請求項１】
複数の放送ネットワークにおけるデジタル放送を受信し、受信信号を復調してトランスポートストリームを発生する復調部と、前記トランスポートストリームをデコードして映像信号及び音声信号を発生するデコーダ部とを備えるデジタル放送受信装置において、受信可能な複数の放送ネットワークに対するネットワーク情報を格納した情報記憶手段と、各種の状態を選択設定する操作機器と、映像や情報等を表示する表示部と、装置全体の動作を制御する制御部とを設け、前記制御部は、前記操作機器の選択により前記情報記憶手段に格納されたネットワーク情報を読み出し、得られたネットワーク情報を前記表示部に供給して受信可能な複数の放送ネットワークを一覧表示させるとともに、前記一覧表示された複数の放送ネットワークを操作機器で選択することにより他の放送ネットワークへの受信に切替えることを特徴とするデジタル放送受信装置。
【請求項２】
前記他の放送ネットワークへの受信切替えは、一覧表示された複数の放送ネットワーク名へのカーソルの移動によって行われることを特徴とする請求項１に記載のデジタル放送受信装置。
【請求項３】
前記他の放送ネットワークへの受信切替えは、一覧表示された複数の放送ネットワーク名にそれぞれ対応表示された放送ネットワーク切替キーを選択することによって行われることを特徴とする請求項１に記載のデジタル放送受信装置。
【請求項４】
前記制御部は、カードスロット等に１つの放送ネットワークを受信可能なカード型外部機器が新たに接続され、それにより受信可能な放送ネットワークが追加されたとき、前記カード型外部機器で受信可能な放送ネットワークに対するネットワーク情報を前記情報記憶手段に追加格納することを特徴とする請求項１乃至３のいずれかに記載のデジタル放送受信装置。
【請求項５】
前記制御部は、カードスロット等に接続されていた１つの放送ネットワークを受信可能なカード型外部機器が取り外され、それにより受信可能な放送ネットワークが削減されたとき、前記外部機器で受信可能な放送ネットワークに対するネットワーク情報を前記情報記憶手段の格納内容から削除することを特徴とする請求項１乃至４のいずれかに記載のデジタル放送受信装置。
【発明の詳細な説明】
【０００１】
【発明の属する技術分野】
本発明は、デジタル放送受信装置に係り、特に、複数の放送ネットワークにおけるデジタル放送の受信が可能であって、受信可能な放送ネットワークを一覧表示することができるデジタル放送受信装置に関する。
【０００２】
【従来の技術】
一般に、デジタル放送においては、使用される放送衛星や事業主体となる放送事業者によって放送ネットワークという構成要素に区分されている。これらの放送ネットワークは、それぞれの放送ネットワークに各別に割り当てられたネットワークＩＤによって識別される。
【０００３】
放送ネットワークは、ＢＳデジタル放送の放送が開始された時点では１つの放送ネットワークが存在するだけであったが、ＣＳデジタル放送や地上波デジタル放送の放送が開始されたことにより、現在では複数の放送ネットワークが存在している。このため、デジタル放送を受信するデジタル放送受信装置としては、これら複数の放送ネットワークにそれぞれ対応できる受信機能を備えたものが要求されるようになっている。
【０００４】
ところで、それぞれの放送ネットワークにおいては、自放送ネットワークで放送している番組のチャネル番号（サービスＩＤ）が個別に設定されているが、異なる放送ネットワークにおいては、同じチャネル番号（サービスＩＤ）に設定される可能性がある。また、有料放送の課金単位は、放送ネットワーク毎に課金される場合が多い。このため、ユーザーは、現在視聴している番組の放送ネットワークがどの放送ネットワークのものであるかを認識する必要が生じる。
【０００５】
このような必要性を満たすために、現在視聴している番組の放送ネットワークがどの放送ネットワークのものであるかを認識できるようにしたデジタル放送受信装置が提案されており、その中の１つに特開平１１−５５５８７号に開示されたデジタル放送受信装置がある。
【０００６】
前記特開平１１−５５５８７号に開示されたデジタル放送受信装置は、現在視聴している放送ネットワーク情報を格納したネットワーク情報バッファを設けているもので、ディスプレイに番組表や番組情報を表示する際に、現在視聴している番組の放送ネットワーク名を表示したり、その放送ネットワーク名に対応したネットワークロゴを表示したり、または、受信可能な放送ネットワーク毎に番組情報表示内の背景色を変更したり、放送ネットワーク名等の文字色やグラフィック色を変更したりして、ユーザーが現在視聴している番組の放送ネットワークの認識をし易くしているものである。
【０００７】
【発明が解決しようとする課題】
前記特開平１１−５５５８７号に開示されたデジタル放送受信装置は、現在視聴している番組の放送ネットワークにおけるネットワーク情報だけが表示の対象になっているため、ユーザーにとって、現在視聴している番組の放送ネットワークを容易に認識することができるが、このデジタル放送受信装置で受信可能な他の放送ネットワークを容易に認識することができないものであり、また、ユーザーがデジタル放送受信装置を現在視聴している放送ネットワークの受信から受信可能な他の放送ネットワークへの受信に切替えたいとき、放送ネットワークの切り替えを行うことが必ずしも容易なことではない。
【０００８】
本発明は、このような技術的背景に鑑みてなされたもので、その目的は、現在受信中の放送ネットワークと受信可能な他の放送ネットワークとを同時に認識可能で、現在受信中の放送ネットワークから受信可能な他の放送ネットワークへの切替を簡単な操作で行えるデジタル放送受信装置を提供することにある。
【０００９】
【課題を解決するための手段】
前記目的を達成するために、本発明によるデジタル放送受信装置は、複数の放送ネットワークにおけるデジタル放送を受信し、受信信号を復調してトランスポートストリームを発生する復調部と、トランスポートストリームをデコードして映像信号及び音声信号を発生するデコーダ部とを備えるものであって、受信可能な複数の放送ネットワークに対するネットワーク情報を格納した情報記憶手段と、各種の状態を選択設定する操作機器と、映像や情報等を表示する表示部と、装置全体の動作を制御する制御部とを設け、制御部は、操作機器の選択により前記情報記憶手段に格納されたネットワーク情報を読み出し、得られたネットワーク情報を表示部に供給して受信可能な複数の放送ネットワークを一覧表示させるとともに、一覧表示された複数の放送ネットワークを操作機器で選択することにより他の放送ネットワークへの受信に切替える手段を備える。
【００１０】
前記手段によれば、受信可能な複数の放送ネットワークに対するネットワーク情報を格納した情報記憶手段及び各種の状態を選択設定する操作機器を設け、操作機器の操作により放送ネットワークの一覧表示を選択すると、制御部が、情報記憶手段に格納されたネットワーク情報を読み出し、得られたネットワーク情報を表示部に供給して受信可能な複数の放送ネットワークを一覧表示させるようにしたので、表示部には現在受信している放送ネットワークと受信可能な他の放送ネットワークとが同時に表示され、現在受信している放送ネットワークだけでなく、受信可能な他の放送ネットワークについても容易に認識することが可能になる。また、表示部に受信可能な複数の放送ネットワークが表示されたとき、現在受信している放送ネットワークから他の放送ネットワークに切替えたいとき、操作機器の操作により所望する他の放送ネットワークを選択すれば、選択された放送ネットワークへの受信切替えが行われ、簡単な操作により受信する放送ネットワークを切替えることができる。
【００１１】
この場合、前記手段における他の放送ネットワークへの受信切替えは、一覧表示された複数の放送ネットワーク名へのカーソルの移動によって行われるか、または、一覧表示された複数の放送ネットワーク名にそれぞれ対応表示された放送ネットワーク切替キーを選択することによって行われるものである。
【００１２】
このような構成にすれば、表示部に受信可能な複数の放送ネットワークに表示されたとき、現在受信している放送ネットワークから他の放送ネットワークに切替えたいとき、操作機器の操作によって所望する他の放送ネットワークを選択すれば、選択された放送ネットワークへの受信切替えが行われ、受信する放送ネットワークの切替を簡単な操作によって行うことができる。
【００１３】
さらに、前記手段における制御部は、カードスロット等に１つの放送ネットワークを受信可能なカード型外部機器が新たに接続され、それにより受信可能な放送ネットワークが追加されたとき、カード型外部機器で受信可能な放送ネットワークに対するネットワーク情報を情報記憶手段に追加格納したり、カードスロット等に接続されていた１つの放送ネットワークを受信可能なカード型外部機器が取り外され、それにより受信可能な放送ネットワークが削減されたとき、外部機器で受信可能な放送ネットワークに対するネットワーク情報を情報記憶手段の格納内容から削除するように構成することが好ましい。
【００１４】
前記構成にすれば、カードスロット等に１つの放送ネットワークを受信可能なカード型外部機器を装着したときまたは取り外したときに、情報記憶手段に格納される受信可能な放送ネットワークに対するネットワーク情報の追加または削除を行っているので、常時、受信可能な放送ネットワークに対するネットワーク情報を漏れなく情報記憶手段に格納させることができ、同時にその時点に受信可能な複数の放送ネットワークを表示部に一覧表示させることができる。
【００１５】
【発明の実施の形態】
以下、本発明の実施の形態を図面を参照して説明する。
【００１６】
図１は、本発明によるデジタル放送受信装置の第１の実施の形態を示すもので、その要部構成を表すブロック図である。
【００１７】
図１に示されるように、第１の実施の形態によるデジタル放送受信装置は、受信したデジタル放送信号の選局、デジタル放送信号の信号形態に従った復調及び誤り訂正を行って多重化デジタルデータを形成するチューナ及び復調部１と、チューナ及び復調部１から出力された多重化デジタルデータをデコードしてトランスポートストリームを抽出するトランスポートストリーム（ＴＳ）デコーダ２と、装置全体を統括制御する制御部（ＣＰＵ）３と、トランスポートストリームデコーダ２で形成されたデータを格納するメモリ４と、メモリ４の一部であって、ネットワーク情報を格納するネットワーク情報格納部４（１）と、トランスポートストリームデコーダ２から出力されたトランスポートストリームをデコードして音声信号及び映像信号を形成するオーディオビジュアル（ＡＶ）デコーダ５と、映像表示部９への文字表示機能（ＯＳＤ）情報を形成するグラフィックス生成部６と、オーディオビジュアルデコーダ５から出力された映像信号とグラフィックス生成部６から出力された文字表示機能情報を混合する混合部７と、オーディオビジュアルデコーダ５から出力された音声信号を処理する音声出力部８と、混合部７から出力された混合映像信号を表示する映像表示部９と、リモートコントロール（リモコン）機器等からなる操作機器１０と、アンテナで受信されたデジタル放送信号が印加される受信信号入力端子１１とからなる。
【００１８】
そして、チューナ及び復調部１は、入力端が受信信号入力端子１０に接続され、出力端がトランスポートストリームデコーダ２の入力端に接続される。トランスポートストリームデコーダ２は、出力端がオーディオビジュアルデコーダ５の入力端に接続され、制御端が制御部３の第１制御端に接続される。制御部３は、第２制御端がメモリ４に接続され、第３制御端が操作機器１０に結合され、出力端がグラフィックス生成部６の入力端に接続される。オーディオビジュアルデコーダ５は、音声信号出力端が音声出力部８の入力端に接続され、映像信号出力端が混合部７の第１入力端に接続される。グラフィックス生成部６は、出力端が混合部７の第２入力端に接続される。混合部７は、出力端が映像表示部９の入力端に接続される。
【００１９】
前記構成による第１の実施の形態によるデジタル放送受信装置は、次のように動作する。
【００２０】
アンテナ（図示なし）で受信されたデジタル放送信号が受信信号入力端子１０を通してチューナ及び復調部１に供給されると、チューナ及び復調部１は、受信信号の選局を行ったあと、デジタル放送信号の信号形態に従った復調及び誤り訂正を行い、多重化デジタルデータとして次続のトランスポートストリームデコーダ２に供給する。トランスポートストリームデコーダ２は、供給された多重化デジタルデータからトランスポートストリームを抽出し、次続のオーディオビジュアルデコーダ５に供給する。オーディオビジュアルデコーダ５は、供給されたトランスポートストリームをデコードして音声信号と映像信号とを形成し、音声信号を次続の音声出力部８に供給し、映像信号を次続の混合部７に供給する。
【００２１】
このとき、操作機器１０の操作によって放送ネットワーク一覧表示の指令が出されていると、制御部３は、その指令に応答してネットワーク情報格納部４（１）に格納されているネットワーク情報を読み出し、読み出したネットワーク情報をグラフィックス生成部６に供給して表示に適した文字表示情報に変換し、この文字表示情報を混合部７に供給する。混合部７は、オーディオビジュアルデコーダ５から出力された映像信号とグラフィックス生成部６から出力された文字表示情報とを混合し、得られた混合映像信号を次続の映像表示部９に供給する。このとき、映像表示部９には、受信した映像情報とともに受信可能な放送ネットワークの一覧が表示される。
【００２２】
一方、操作機器１０が何等操作されずに放送ネットワーク一覧表示の指令が出されていないとき、グラフィックス生成部６から文字表示情報が出力されないので、映像表示部９には、受信した映像情報だけが表示される。
【００２３】
ここで、図２は、図１に図示されたネットワーク情報格納部に情報テーブルの形で格納されたネットワーク情報の一例を示す説明図である。
【００２４】
図２に示されるように、ネットワーク情報は、放送ネットワークＩＤと放送ネットワーク名とからなっている。ネットワークＩＤは、規格で定められた値、例えば４、８等が設定され、放送ネットワーク名は、規格に基づいた設定名、例えばＢＳデジタル放送、地上波デジタル放送等になっているが、放送内容から得られる情報名を設定するようにしてもよい。
【００２５】
また、図３は、図１に図示されたデジタル放送受信装置において受信可能な放送ネットワークの一覧表示を行う際の処理経緯を示すフローチャートである。
【００２６】
また、図４は、図１に図示されたデジタル放送受信装置の制御部３で作成され、映像表示部に表示される放送ネットワーク名の一覧の一例を示す説明図である。
【００２７】
図３に図示されたフローチャートを用い、受信可能な放送ネットワークの一覧表示を行う際の動作について説明する。この場合、ネットワーク情報格納部４（１）には、このデジタル放送受信装置において受信可能な放送ネットワークにおける放送ネットワークＩＤに対応した放送ネットワーク名が規格に従って設定格納されているものとする。
【００２８】
まず、ステップＳ１において、制御部３は、ユーザーによる操作機器１０の操作により放送ネットワークの一覧表示の指令を受けたか否かを判断する。そして、放送ネットワークの一覧表示の指令を受けたと判断した（Ｙ）ときは次のステップＳ２に移行し、一方、放送ネットワークの一覧表示の指令を受けていないと判断した（Ｙ）ときはこのステップＳ１を繰り返し実行する。
【００２９】
次に、ステップＳ２において、制御部３は、放送ネットワーク情報格納部４（１）から受信可能な放送ネットワークＩＤに基づいてそれらのＩＤに対応した放送ネットワーク名を取得する。
【００３０】
次いで、ステップＳ３において、制御部３は、取得した放送ネットワーク名の一覧を、例えば、図４に図示されるような形態として作成し、その作成内容をグラフィックス生成部６に供給する。このとき、グラフィックス生成部６は、図４に図示されるような放送ネットワーク名の一覧表示において、現在受信している放送ネットワークの判別ができるように、現在受信している放送ネットワークの放送ネットワーク名の背景色を他の放送ネットワーク名の背景色と異ならせた状態、例えばカーソルが重ね合わされた状態になるような設定にする。
【００３１】
続く、ステップＳ４において、制御部３は、混合部７においてオーディオビジュアルデコーダ５から出力された映像信号にグラフィックス生成部６から出力された放送ネットワーク名の一覧を重ね合わせた混合映像信号とし、その混合映像信号を映像表示部９に供給し、映像表示部９で受信可能な放送ネットワークの一覧が表示され、ユーザーに提示される。そして、映像表示部９において、受信可能な放送ネットワークにおける放送ネットワーク名が一覧表示されたとき、現在受信している放送ネットワークの放送ネットワーク名にカーソルが重ね合わされており、どの放送ネットワークを受信中であるかを認識することが可能である。
【００３２】
また、放送ネットワーク名に重ね合わせているカーソルは、操作機器１０を操作することによりカーソルを移動させ、他の放送ネットワーク名に重ね合わせることができる。さらに、カーソルを他の放送ネットワーク名に重ね合わせた後で、操作機器１０を再度操作することによりカーソルを重ね合わせた他の放送ネットワーク名の放送ネットワークの受信状態に切替えることができる。
【００３３】
この場合、１つの放送ネットワークの受信状態から他の放送ネットワークの受信への切替えは、カーソルの移動によって行う代わりに、放送ネットワーク切替キーを設け、その放送ネットワーク切替キーを選択することによっても切替を行うことができる。
【００３４】
ここで、図５は、受信する放送ネットワークの切替の選択を行う放送ネットワーク切替キーを示す梗概図である。
【００３５】
図５に示されるように、放送ネットワーク切替キーＫ１、Ｋ２、Ｋ３は、このデジタル放送受信装置において受信可能な放送ネットワーク毎に設けられるもので、それぞれ異なる着色がされており、それぞれの放送ネットワーク切替キーＫ１、Ｋ２、Ｋ３にキーに固有のリモコンキーＩＤが設定されている。
【００３６】
また、図６は、ネットワーク情報格納部に情報テーブルの形で格納され、放送ネットワーク切替キーとともに用いられるネットワーク情報の一例を示す説明図である。
【００３７】
図６に示されるように、本例によるネットワーク情報は、放送ネットワークＩＤと放送ネットワーク名とリモコンキーＩＤとからなっている。ネットワークＩＤは規格で定められた値、例えば４、８等が設定され、放送ネットワーク名は規格に基づいた設定名、例えばＢＳデジタル放送、地上波デジタル放送等になっており、リモコンキーＩＤは放送ネットワーク切替キーＫ１、Ｋ２、Ｋ３に固有の値、例えば０、１等が設定されている。
【００３８】
さらに、図７は、デジタル放送受信装置の制御部で作成され、映像表示部に表示される放送ネットワーク切替キーを有する放送ネットワーク名の一覧の一例を示す説明図である。
【００３９】
図７に示されるように、映像表示部９に受信可能な複数の放送ネットワークが一覧表示されたとき、複数の放送ネットワーク名に対応した位置にそれぞれの放送ネットワーク切替キーＫ１、Ｋ２、Ｋ３が併せて表示される。
【００４０】
ところで、図７に図示されるように、放送ネットワーク名と放送ネットワーク切替キーＫ１、Ｋ２、Ｋ３とを同時に表示させるとき、図３に図示された前述のフローチャートに従った動作経緯と同じ動作経緯によって一覧表示させることができる。この動作の場合、制御部３は、放送ネットワークの一覧表示を作成する際に、放送ネットワーク切替キーＫ１、Ｋ２、Ｋ３をネットワーク情報格納部４（１）に格納されているリモコンキーＩＤを用いて作成する。
【００４１】
映像表示部９において、放送ネットワーク名と放送ネットワーク切替キーＫ１、Ｋ２、Ｋ３との一覧表示がなされ場合は、放送ネットワーク切替キーＫ１、Ｋ２、Ｋ３に重なり合ったカーソルの位置、例えば放送ネットワーク切替キーＫ２上にカーソルがあれば、デジタル放送受信装置が放送ネットワーク切替キーＫ２に対応したＣＳデジタル放送を受信中であることを直ちに認識可能になる。
【００４２】
また、放送ネットワーク切替キーＫ２に重なり合っているカーソルは、操作機器１０を操作することによりカーソルを他の放送ネットワークにおける放送ネットワーク切替キーＫ１、Ｋ３に重なり合うように移動させることができる。
【００４３】
さらに、カーソルを他の放送ネットワークにおける放送ネットワーク切替キーＫ１、Ｋ３、例えば放送ネットワーク切替キーＫ１に重なり合わせた後で、操作機器１０を再度操作することにより、カーソルを重なり合わせた他の放送ネットワーク、この場合ＢＳデジタル放送を受信する状態に切替えることができる。
【００４４】
なお、ここで挙げた例においては、放送ネットワーク切替キーＫ１、Ｋ２、Ｋ３の着色状態をそれぞれ異ならせることにより、放送ネットワーク切替キーＫ１、Ｋ２、Ｋ３の区別をしているものであるが、放送ネットワーク切替キーＫ１、Ｋ２、Ｋ３の着色状態を異ならせる代わりに、放送ネットワーク切替キーＫ１、Ｋ２、Ｋ３の形状を変えるようにしたり、リモコンキーＩＤに設定した数値を表示したりすることによっても、同じように放送ネットワーク切替キーＫ１、Ｋ２、Ｋ３を区別することが可能である。
【００４５】
次に、図８は、本発明によるデジタル放送受信装置の第２の実施の形態を示すもので、その要部構成を表すブロック図である。
【００４６】
図８に示されるように、第２の実施の形態によるデジタル放送受信装置は、第１の実施の形態によるデジタル放送受信装置に対して、外部機器接続インターフェイス１２及び外部機器接続インターフェイス１２に着脱自在に装着されるカード型外部接続機器１３が新たに接続されたもので、その他の構成については、第１の実施の形態によるデジタル放送受信装置の構成と同じである。なお、図８において、図１に示された構成要素と同じ構成要素については同じ符号を付けている。
【００４７】
この場合、外部機器接続インターフェイス１２は、パーソナルコンピュータメモリカードインターナショナルアソシエーション（ＰＣＭＣＩＡ）スロット等からなり、トランスポートストリームデコーダ２及び制御部３に接続される。カード型外部接続機器１３は、デジタル放送受信装置で受信可能な放送ネットワークを拡張するためのもので、カード型チューナを構成しているものである。
【００４８】
ここで、図９及び図１０は、第２の実施の形態によるデジタル放送受信装置の動作経緯を示すフローチャートであって、図９は、外部接続機器１３を新たに装着したときの動作経緯であり、図１０は、それまで装着していた外部接続機器１３を取外したときの動作経緯である。
【００４９】
第１に、図９に図示されたフローチャートを用い、外部接続機器１３が新たに装着されたときの動作経緯について説明する。
【００５０】
始めに、ステップＳ１１において、カード型チューナからなる外部接続機器１３を外部機器接続インターフェィス１２に装着する。
【００５１】
次に、ステップＳ１２において、外部機器接続インターフェィス１２は、カード型チューナからなる外部接続機器１３が装着されたことを検出し、その検出情報を制御部３に伝送する。
【００５２】
次いで、ステップＳ１３において、制御部３は、カード型チューナからなる外部接続機器１３に対応する新たな放送ネットワークのネットワークＩＤをカード型チューナからなる外部接続機器１３から取得し、チューナ及び復調部１に対して新たな放送ネットワークの受信への切替えを行う旨の指示を出す。
【００５３】
続いて、ステップＳ１４において、制御部３は、カード型チューナからなる外部接続機器１３を受信動作させ、カード型チューナからなる外部接続機器１３から新たなネットワーク情報を取得し、取得したネットワーク情報をネットワーク情報格納部４（１）に転送する。これによりネットワーク情報格納部４（１）には、それまで格納されていたネットワーク情報に加えて新たなネットワーク情報が追加格納される。
【００５４】
このような動作経緯により、ネットワーク情報格納部４（１）には新たなネットワーク情報が追加格納されたので、図４に図示されたように、映像表示部９に複数の放送ネットワークを一覧表示した際に、追加された放送ネットワークを併せて一覧表示することができる。
【００５５】
第２に、図１０に図示されたフローチャートを用い、それまで装着されていた外部接続機器１３が取り外されたときの動作経緯について説明する。
【００５６】
始めに、ステップＳ２１において、カード型チューナからなる外部接続機器１３を外部機器接続インターフェィス１２から取り外す。
【００５７】
次に、ステップＳ２２において、外部機器接続インターフェィス１２は、カード型チューナからなる外部接続機器１３が取り外されたことを検出し、その検出情報を制御部３に伝送する。
【００５８】
次いで、ステップＳ２３において、制御部３は、カード型チューナからなる外部接続機器１３が取り外された旨の情報を受けたことにより、ネットワーク情報格納部４（１）に格納されている複数の放送ネットワーク情報の中の取り外されたカード型チューナに対応する放送ネットワーク情報を選択し、選択した放送ネットワーク情報を削除する。
【００５９】
続いて、ステップＳ２４において、制御部３は、チューナ及び復調部１に対して、カード型チューナからなる外部接続機器１３に対する放送ネットワークの受信状態から情報格納部４（１）に格納されている放送ネットワーク情報の中の一つの放送ネットワーク情報を有する放送ネットワークの受信に切替える旨の指示を出す。
【００６０】
このような動作経緯により、ネットワーク情報格納部４（１）に格納されていた放送ネットワーク情報から、取り外されたカード型チューナからなる外部接続機器１３に対する放送ネットワーク情報が削除されたので、図４に図示されたように、映像表示部９に複数の放送ネットワークを一覧表示した際に、削除された放送ネットワークを除いた放送ネットワークを一覧表示することができる。
【００６１】
【発明の効果】
以上のように、請求項１乃至３に記載の発明によれば、受信可能な複数の放送ネットワークに対するネットワーク情報を格納した情報記憶手段及び各種の状態を選択設定する操作機器を設け、操作機器の操作により放送ネットワークの一覧表示を選択すると、制御部が、情報記憶手段に格納されたネットワーク情報を読み出し、得られたネットワーク情報を表示部に供給して受信可能な複数の放送ネットワークを一覧表示させるようにしたので、表示部には現在受信している放送ネットワークと受信可能な他の放送ネットワークとが同時に表示され、現在受信している放送ネットワークだけでなく、受信可能な他の放送ネットワークについても容易に認識することが可能になるとともに、表示部に受信可能な複数の放送ネットワークが表示されたとき、現在受信している放送ネットワークから他の放送ネットワークに切替えたいとき、操作機器の操作により所望する他の放送ネットワークを選択すれば、選択された放送ネットワークへの受信切替えが行われ、簡単な操作により受信する放送ネットワークを切替えることができるという効果がある。
【００６２】
また、請求項４乃至５に記載の発明によれば、カードスロット等に１つの放送ネットワークを受信可能なカード型外部機器を装着したときまたは取り外したときに、情報記憶手段に格納される受信可能な放送ネットワークに対するネットワーク情報の追加または削除を行っているので、常時、受信可能な放送ネットワークに対するネットワーク情報を漏れなく情報記憶手段に格納させることができ、同時にその時点に受信可能な複数の放送ネットワークを表示部に一覧表示させることができるという効果がある。
【図面の簡単な説明】
【図１】本発明によるデジタル放送受信装置の第１の実施の形態を示すもので、その要部構成を表すブロック図である。
【図２】図１に図示されたネットワーク情報格納部に情報テーブルの形で格納されたネットワーク情報の一例を示す説明図である。
【図３】図１に図示されたデジタル放送受信装置において受信可能な放送ネットワークの一覧表示を行う際の処理経緯を示すフローチャートである。
【図４】図１に図示されたデジタル放送受信装置の制御部３で作成され、映像表示部に表示される放送ネットワーク名の一覧の一例を示す説明図である。
【図５】受信する放送ネットワークの切替の選択を行う放送ネットワーク切替キーを示す梗概図である。
【図６】ネットワーク情報格納部に情報テーブルの形で格納され、放送ネットワーク切替キーとともに用いられるネットワーク情報の一例を示す説明図である。
【図７】図７は、デジタル放送受信装置の制御部で作成され、映像表示部に表示される放送ネットワーク切替キーを有する放送ネットワーク名の一覧の一例を示す説明図である。
【図８】本発明によるデジタル放送受信装置の第２の実施の形態を示すもので、その要部構成を表すブロック図である。
【図９】図８に図示された第２の実施の形態によるデジタル放送受信装置において、外部接続機器を新たに装着したときの動作経緯を示すフローチャートである。
【図１０】図８に図示された第２の実施の形態によるデジタル放送受信装置において、それまで装着していた外部接続機器を取外したときの動作経緯である。
【符号の説明】
１　チューナおよび復調部
２　トランスポートストリーム（ＴＳ）デコーダ
３　制御部（ＣＰＵ）
４　メモリ
４（１）　ネットワーク情報格納部
５　オーディオビジュアル（ＡＶ）デコーダ
６　グラフィックス生成部
７　混合部
８　音声出力部
９　映像表示部
１０　操作機器
１１　受信信号入力端子
１２　外部機器接続インターフェィス
１３　カード型外部接続機器
【図１】
2004015499.tif 000003
【図２】
2004015499.tif 000004
【図３】
2004015499.tif 000005
【図４】
2004015499.tif 000006
【図５】
2004015499.tif 000007
【図６】
2004015499.tif 000008
【図７】
2004015499.tif 000009
【図８】
2004015499.tif 000010
【図９】
2004015499.tif 000011
【図１０】
2004015499.tif 000012